(57)【要約】  【課題】  ゴルフクラブの引き抜きや挿入作業を容易に行うことが可能なキャディーバッグを提供する。  【解決手段】  複数のゴルフクラブ７，８をグリップ７ｂ、８ｂ側から内部に挿入して収容保持する合成樹脂材によって一体に形成された収容体２を、上端部から下端部にかけて後方へ下り傾斜状に形成すると共に、収容体の内部に、前記各アイアン用穴部１０とウッド用穴部１１をそれぞれ別個独立に収容保持するセパレート穴９を設けた。また、前記各セパレート穴のアイアン用穴部１０を横列に３段に形成して該各列の横方向の位置を互い違いに形成して、クラブ同士の干渉を避けると共に、クラブの挿抜をし易くし、さらに収容体の断面積を小さくして、キャディーバッグの小型化を図った。  【選択図】  図１
2005261458.tif 000002
【特許請求の範囲】
【請求項１】
複数のゴルフクラブをグリップ側から内部に挿入して収容保持する収容体を有するキャディーバッグであって、
前記収容体を、上端部のクラブ挿抜口側から後方へ下り傾斜状に形成したことを特徴とするキャディーバッグ。
【請求項２】
前記収容体に、前記各ゴルフクラブをそれぞれ別個独立に収容保持するセパレート穴を設けたことを特徴とする請求項１に記載のキャディーバッグ。
【請求項３】
前記各セパレート穴を横列に複数段に形成して該各列の横方向の位置を互い違いに形成したことを特徴とする請求項２に記載のキャディーバッグ。
【発明の詳細な説明】
【技術分野】
【０００１】
本発明は、複数のゴルフクラブを収容してゴルフコースやゴルフ練習場に持ち運びするキャディーバッグの改良に関する。
【背景技術】
【０００２】
周知のように、ゴルフコースなどで用いられる少なくとも１４本以上のゴルフクラブを収容可能なキャディーバッグは、一般に、ほぼ有底円筒状のバッグ本体と、該バッグ本体の内部に形成されたゴルフクラブの大径な収容穴と、該収容穴の上端開口部に設けられて、複数のゴルフクラブを分離するためのセパレータ部材とから主として構成されている。
【０００３】
前記バッグ本体は、軽量化を図るために軽量な合成樹脂材によって一体に形成され、ほぼ水平な底壁の外周縁から周壁がほぼ垂直方向に沿って立設されていると共に、外側部には持ち運び用のショルダーベルトが取り付けられている。
【０００４】
そして、使用時には、前記バッグ本体の上端開口からドライバーなどのウッド系の長いゴルフクラブや、ロングアイアン、ミドルアイアン、ショートアイアン、ウエッジ系の短いゴルフクラブをそれぞれセパレート部材によって区分けしながら周壁に沿ってほぼ垂直方向から挿抜している。
【特許文献１】特開平６−２４６０２３号公報
【発明の開示】
【発明が解決しようとする課題】
【０００５】
しかしながら、前記従来のキャディーバッグにあっては、前述のように、バッグ本体が、水平な底壁から立ち上がった周壁が単純に垂直方向に沿って形成されていることから、例えば、ゴルフ練習場での使用時には、各ゴルフクラブを収容穴の上端開口部からほぼ垂直方向に抜き取ったり、挿入しなければならない。換言すれば、ゴルフクラブを傾斜した状態で抜こうとすると、グリップ側が他のゴルフクラブのグリップに接触してうまく抜けないばかりか、場合によってはゴルフクラブが内部で他のゴルフクラブのグリップなどに引っ掛かったまま引き抜こうとすると、その勢いでキャディーバッグを倒してしまうおそれがある。
【０００６】
本発明は、前記従来のキャディーバッグの実状に鑑みて案出されたもので、キャディーバッグから各ゴルフクラブを容易に挿抜可能なキャディーバッグを提供することを目的としている。
【課題を解決するための手段】
【０００７】
請求項１に記載の発明は、複数のゴルフクラブをグリップ側から内部に挿入して収容保持する収容体を有するキャディーバッグであって、前記収容体を、上端部のクラブ挿抜口側から後方へ下り傾斜状に形成したことを特徴としている。
【０００８】
請求項２に記載の発明は、前記収容体に、前記各ゴルフクラブをそれぞれ別個独立に収容保持するセパレート穴を設けたことを特徴としている。
【０００９】
請求項３に記載の発明は、各セパレート穴を横列に複数段に形成すると共に該各列の前後段の横方向の位置をずらせて各セパレート穴を互い違いに配置したことを特徴としている。
【発明の効果】
【００１０】
以上の説明で明らかなように、請求項１記載の発明によれば、収容体が、クラブ挿抜口側から後方向へ傾斜状に形成されていることから、各ゴルフクラブを、手前に見えるクラブ挿抜口から傾斜状に挿入できるので、挿入作業性も良好になり、各ゴルフクラブの挿抜作業が容易になる。
【００１１】
請求項２に記載の発明によれば、各ゴルフクラブを各セパレート穴にそれぞれ挿抜することにより、各ゴルフクラブを別個独立に収容保持することができることから、引き抜く際にグリップが他のゴルフクラブのグリップに接触しないので、抵抗なく容易に引き抜くことが可能になる。
【００１２】
また、挿入する際にも、決められたセパレート穴の開口端からそのまま挿入すれば、なんら他のゴルフクラブと接触することなくスムーズに挿入することが可能になり、各ゴルフクラブの挿抜作業がきわめて容易になる。
【００１３】
請求項３に記載の発明によれば、請求項１の発明の作用効果に加えて、各セパレート穴の横方向の位置をずらして前後段の各セパレート穴の形成位置を互い違いにして、隣接する両セパレート穴の間に上下段の他のセパレート穴を位置させるようにしたことから、全体のセパレート穴の形成スペースを小さくすることができる。この結果、キャディーバッグの小型化と軽量化が図れる。
【発明を実施するための最良の形態】
【００１４】
以下、本発明に係わるキャディーバッグの実施形態を図面に基づいて詳述する。
【００１５】
すなわち、このキャディーバッグ１は、図１〜図３に示すように、複数のゴルフクラブを内部に収容する収容体２と、該収容体２の外周を覆う薄い合成樹脂製のカバー３とを備えている。
【００１６】
前記収容体２は、横断面ほぼ矩形状を呈し、比較的硬質の合成樹脂材によって角柱状に一体に形成され、下端部に底壁部４を有しており、この底壁部４は、垂直方向に沿ったほぼ角筒状に形成されている。したがって、キャディーバッグ１は、外形がほぼ角柱状に形成されている。
【００１７】
前記収容部２は、上端部が手前となるように、該上端部から下端部側へ下り傾斜状に形成されていると共に、上端面の前端部２ａが手前下り傾斜状に形成されていると共に、後端面２ｂがほぼ水平に形成されている。また、収容体２の内部には、複数のアイアンクラブ７やウッドクラブ８を独立に収容する複数のセパレート穴９が長手方向に沿って形成されている。
【００１８】
すなわち、このセパレート穴９は、図２及び図３に示すように、例えば１１個のアイアン用穴部１０と横方向に長い１つのウッド用穴部１１の合計１２個で構成され、それぞれが収容部５の傾斜角度と同角度に傾斜状に穿設されていると共に、その長さは各ゴルフクラブ７，８の各ヘッド７ａ、８ａがそれぞれの上端開口部１０ａ、１１ａから飛び出す長さに設定されている。
【００１９】
つまり、このセパレート穴９は、その底部１２が図１に示すように、前記収容部２の傾斜角度とほぼ同じ角度で傾斜状に形成されていると共に、その傾斜角度に沿って手前側から後方側へ上り階段状に形成されている。したがって、各ゴルフクラブ７，８の各ヘッド７ａ、８ａが上端開口部１０ａ、１１ａから飛び出すようになっている。
【００２０】
また、前記セパレート穴９のアイアン用穴部１０は、横列に上下３段Ｓ、Ｍ、Ｌに配置形成されて、最下段の例えば４つのショートアイアン用穴列Ｓと、中段の例えば３つのミドルアイアン用穴列Ｍと、最上段の例えば３つのロングアイアン用穴列Ｌとによって構成され、該各列Ｓ〜Ｌの位置を横方向にずらせて各穴部１０が互い違いに配置されている。つまり、例えば最下段Ｓの隣接する２つの穴部１０、１０の間に中段Ｍの１つの穴部１０が位置するように形成されている。
【００２１】
前記ウッド用穴部１１は、横方向に長い矩形状に形成されて、その大きく開いた上端開口部１１ａから例えば２本のフェアウエーウッドとドライバーを挿通して内部に収容するようになっている。
【００２２】
また、収容体２の両側部には、例えばパターや日傘などを保持するほぼ半円形状の凹溝５、６が長手方向に沿って形成されており、この各凹溝５，６は各穴部１０，１１の傾斜角度とほぼ同角度に設定されている。
【００２３】
さらに、前記各穴部１０，１１の内壁面に、内部に前記ゴルフクラブ７，８を収容した際に、該ゴルフクラブ７、８の径方向の位置ずれを規制する規制部１３、１４が形成されている。
【００２４】
この各規制部１３、１４は、前記各穴部１０，１１の上部開口縁１０ａ、１１ａの手前側を切り込んで平面ほぼ円弧状溝に形成されていると共に、その縦方向の長さは短く設定されている。この各規制部１３，１４の縦方向の長さは、グリップ７ｂ、８ｂ近くまで長く設定することも可能である。
【００２５】
なお、前記収容体２は、その後端部ほぼ中央には、カバー３の外面から突出した合成樹脂材の取手部１５が形成されていると共に、その下端部にはボールなどの小物入れポケット１６が設けられている。さらに、収容体２の前端部にも、物入れポケット１７が設けられている一方、前記底壁部４の後端面には、把持部１８が設けられている。
【００２６】
したがって、この実施形態によれば、収容体２のセパレート穴９の各穴部１０，１１が、上端開口部１０ａ、１１ａ側から後方向へ傾斜状に形成されていることから、各ゴルフクラブ７，８を、手前に見える上端開口部１０ａ、１１ａから傾斜状に挿入できるので、挿入作業性も良好になり、各ゴルフクラブ７，８の挿抜作業が容易になる。
【００２７】
また、各ゴルフクラブ７，８を、各穴部１０，１１にそれぞれ別個独立に収容保持することができることから、各上端開口部１０ａ、１１ａから引き抜く際にグリップ７ｂ、８ｂが他のゴルフクラブ７，８のグリップ７ｂ、８ｂに全く接触することがないので、抵抗なく容易に引き抜くことが可能になる。
【００２８】
すなわち、従来のキャディーバッグは、前記セパレート部材によって各ゴルフクラブをそれぞれ区分けして挿入する際に、該各ゴルフクラブを入口で分離することはできるが、収容穴の内部では分離されていないことから、各ゴルフクラブのグリップ側が内部で斜めになった状態で保持されてしまい、後から挿入したゴルフクラブのグリップが予め挿入されている他のゴルフクラブのグリップに接触して入れにくくなり、場合によっては他のゴルフクラブを一度所定量だけ引き出しながら、垂直に位置合わせをしながら再度入れ直すといった煩雑な作業が余儀なくされている。
【００２９】
ところが、この実施形態では各セパレート穴９の各穴部１０，１１がそれぞれ別個独立になっていることから、前述のように、前記従来の問題を一掃することができる。
【００３０】
しかも、ゴルフクラブ７、８をセパレート穴９に挿入する際にも、決められた各穴部１０，１１の上端開口部１０ａ、１１ａからそのまま挿入すれば、なんら他のゴルフクラブ７，８と接触することなくスムーズに挿入することが可能になり、各ゴルフクラブ７，８の挿抜作業がきわめて容易になる。
【００３１】
さらに、この実施形態によれば、３段Ｓ、Ｍ、Ｌに形成されたアイアン用の各穴部１０の各段を横方向にずらして前後段Ｓ〜Ｌの各穴部１０の形成位置を互い違いにして、隣接する両穴部１０、１０の間に前後段の他の穴部１０を位置させるようにしたことから、隣同士のクラブの干渉を避けることができ、また、クラブの挿抜がし易くなる。さらに、収容体２における全体のセパレート穴９の形成スペースを小さくすることができる。この結果、キャディーバッグ１の小型化と軽量化が図れる。
【００３２】
また、各穴部１０，１１に挿入された各ゴルフクラブ７，８は、傾斜した自重により各規制部１３，１４に嵌合して径方向及び横方向の位置決めがなされるから、安定した保持状態が得られる。
【００３３】
したがって、例えば、ゴルフコースでカートの移動に伴いキャディーバッグが激しく揺さぶられても、各ゴルフクラブが自由に動くことがなく、各ゴルフクラブ７，８のヘッド７ａ、８ａ同士の干渉やシャフトの擦過などによる傷などの発生を防止できる。
【００３４】
また、規制部１３，１４を単に各穴部１０，１１の上端開口部１０ａ、１１ａを切り欠いて形成するだけであるから、収容体２との一体成形が可能になり、その成形作業が容易である。したがって、コストの高騰を抑制することができる。
【００３５】
また、この実施形態によれば、底部を階段状に形成したことによって、各セパレート穴に挿通配置された各ゴルフクラブが手前の例えばショートアイアンから後方のフェアウエーウッドなどのクラブが高さを順次換えながら常時傾斜状に配置させるため、各ゴルフクラブを挿抜し易くなる。
【００３６】
また、この実施形態では、収容体２の横断面矩形状に起因してキャディーバッグ１全体の外形がほぼ角柱状に形成されているため、例えば該キャディーバッグ１をゴルフカートに積み込んだときに、外面が平面部となっていることから、円形状のものに比べて横方向へずれにくくなり、安定した積載状態が得られる。
【００３７】
さらに、前記角柱形状であることから、通常の車両のトランク内等に積み込んだ場合にも、車両が例えばローリングした場合でも、トランク内で転がったり、位置ずれすることなく、常に安定した積載状態が得られる。
【００３８】
図５は第２の実施形態であって、第１の実施形態のようにウッド用穴部１１を廃止してセパレート穴９の全てを各アイアン用穴部１０と同じ穴部１０に形成したものである。
【００３９】
したがって、フェアウエーウッドやドライバーをもそれぞれ独立して収容保持することができるので、互いの干渉などをさらに防止することができる。なお、規制部１３、１４は第１の実施形態と同様の構成になっている。
【００４０】
本発明は、前記各実施形態の構成に限定されるものではなく、例えば、規制部１３、１４を、各穴部１０，１１の上端開口部１０ａ、１１ａと共に、底部側にも形成することができ、この場合は、各グリップ７ｂ、８ｂの側端面を支持するようにする。
【００４１】
また、この規制部１３、１４を各穴部１０，１１とは別体に形成することも可能である。
【００４２】
さらに、各セパレート穴９の傾斜角度は、任意に設定でき、立てられたキャディーバッグ１がゴルフクラブ７，８の重さで倒れない程度の傾斜角度にすることが望ましい。
【図面の簡単な説明】
【００４３】
【図１】本発明に係るキャディーバッグの第１実施形態を示す縦断面図である。
【図２】本実施形態の収容体の正面図である。
【図３】同収容体の平面図である。
【図４】キャディーバッグの背面図である。
【図５】第２の実施形態に供される収容体の平面図である。
【符号の説明】
【００４４】
１…キャディーバッグ
２…収容体
４…底壁部
７，８…ゴルフクラブ
９…セパレート穴
１０…アイアン用穴部
１０ａ…上端開口部
１１…ウッド用穴部
１１ａ…上端開口部
１２…底壁
１３，１４…規制部
【図１】
2005261458.tif 000003
【図２】
2005261458.tif 000004
【図３】
2005261458.tif 000005
【図４】
2005261458.tif 000006
【図５】
2005261458.tif 000007